(57)【要約】  透明又は半透明の状態及び略不透明の状態に切り替えることが可能な材料から作られる１以上の部分を有すると共に、前記プラスチック材料を前記状態に切り替える切換部を有する波乗り用ボード（１０）である。【選択図】  図１
2010513132.tif 000002
【特許請求の範囲】
【請求項１】
透明又は半透明の状態及び略不透明の状態に切り替えることが可能なプラスチック材料でできた１以上の部分、及び前記プラスチック材料を前記２つの状態に切り替えるための切換部を有することを特徴とする波乗り用ボード。
【請求項２】
ハル部及び前記ハル部に接続されたデッキ部を有し、前記デッキ部が前記プラスチック材料から作られることを特徴とする請求項１記載の波乗り用ボード。
【請求項３】
前記ハル部は透明又は半透明の材料で作られることを特徴とする請求項１１記載の波乗り用ボード。
【請求項４】
前記デッキ部及びハル部は、その間に１以上のチャンバを定めることを特徴とする請求項２又は３記載の波乗り用ボード。
【請求項５】
前記チャンバ内に取り付け可能な膨張性の物体をさらに備えることを特徴とする請求項４記載の波乗り用ボード。
【請求項６】
少なくとも前記プラスチック材料を照射するための１以上の照明装置をさらに備えることを特徴とする請求項１乃至５いずれか１項に記載の波乗り用ボード。
【請求項７】
前記１以上の照明装置が前記波乗り用ボードに解放可能に固定可能であることを特徴とする請求項６記載の波乗り用ボード。
【請求項８】
前記１以上の照明装置が充電式の電源及び前記電源を充電部に接続するための構造を備えることを特徴とする請求項６又は７記載の波乗り用ボード。
【請求項９】
前記１以上の照明装置を切り替えるための遠隔操作可能な切替部をさらに備えることを特徴とする請求項６乃至８いずれか１項に記載の波乗り用ボード。
【請求項１０】
前記プラスチック材料が、電気的励起電流に応答して前記状態に切り替えることが可能な要素を備えることを特徴とする請求項１乃至９いずれか１項に記載の波乗り用ボード。
【請求項１１】
前記要素が液晶を備えることを特徴とする請求項１０記載の波乗りボード。
【請求項１２】
前記プラスチック材料がMakrolon（登録商標）の等級品であることを特徴とする請求項１乃至１１いずれか１項に記載の波乗り用ボード。
【請求項１３】
前記プラスチック材料を前記状態に切り替えるための切替部が遠隔操作可能であることを特徴とする請求項１乃至１２いずれか１項に記載の波乗り用ボード。
【請求項１４】
中空状の本体部と、該中空状の本体部内部を照射するよう操作可能な１以上の照明装置を有し、前記中空状の本体部は透明又は半透明の１以上の部分を備えることを特徴とする波乗り用ボード。
【請求項１５】
前記中空状の本体部は比較的硬質な外殻部であると共に、該外殻部に収容される膨張性の物体をさらに備えることを特徴とする請求項１４記載の波乗り用ボード。
【請求項１６】
前記外殻部が前記膨張性の物体にアクセスするための開口部を有する単一の部材を備えることを特徴とする請求項１５記載の波乗り用ボード。
【請求項１７】
前記外殻部が前記照明装置が収容される凹部を定め、前記アクセスするための開口部は前記凹部内にもたらされることを特徴とする請求項１６記載の波乗り用ボード。
【請求項１８】
前記中空状の本体部が、前記照明装置を収容するための凹部を定めることを特徴とする請求項１４又は１５に記載の波乗り用ボード。
【請求項１９】
前記照明装置が前記凹部内に解放可能に固定されていることを特徴とする請求項１７又は１８記載の波乗り用ボード。
【請求項２０】
前記１つの照明装置或いは前記１以上の照明装置が充電式電源及び前記電源を充電部に接続するための構造を有することを特徴とする請求項１４乃至１９いずれか１項に記載の波乗り用ボード。
【請求項２１】
前記１以上の透明又は半透明部分の光を伝達する性質が、使用者により調節可能であることを特徴とする請求項１４乃至２０いずれか１項に記載の波乗り用ボード。
【請求項２２】
前記透明又は半透明部分或いは１以上の透明又は半透明部分が、使用者の調節により略不透明になることを特徴とする請求項２１に記載の波乗り用ボード。
【請求項２３】
前記光を伝達する性質を切り替える切替装置をさらに備えることを特徴とする請求項２１又は２２に記載の波乗り用ボード。
【請求項２４】
前記中空状の略全てが透明又は半透明であるであることを特徴とする請求項１４乃至２３いずれか１項に記載の波乗り用ボード。
【請求項２５】
前記１以上の照明装置を切り替えるための遠隔操作可能な切替部をさらに備えることを特徴とする請求項１４乃至２４いずれか１項に記載の波乗り用ボード。
【請求項２６】
可視光を放射するための１以上の照明装置及び前記１以上の照明装置を切り替えるための遠隔操作可能な切替部を有する波乗り用ボード。
【請求項２７】
前記切替部を遠隔操作するためのリモコンと併用され、前記リモコンはリストバンド上にもたらされることを特徴とする請求項２６記載の波乗り用ボード。
【発明の詳細な説明】
【技術分野】
【０００１】
本発明は波乗り用ボードに関するものである。波乗り用ボードとは、サーフボード、ロングボード、セイルボード、ウィンドサーフィンボード、カイトサーフィンボード、ニーボード、パドルボード及びブギーボードを含む。
【背景技術】
【０００２】
サーフボード及び波乗り用ボード等の同等物は、通常、繊維で補強された硬質樹脂材料で被覆されている硬質フォーム芯材として作られるか、或いは繊維で補強されたプラスチック材料で作られた中空状の構造体として作られ、その内部はリブ又は織布等で補強されている。
【０００３】
ボードに乗る者、特にサーファーは、一般に日中サーフィンの練習をする。このことは特に競技サーフィンの場合に当てはまり、これは判定及び観戦に視界の良さが必要とされるためである。
【発明の概要】
【発明が解決しようとする課題】
【０００４】
特許文献１は、光源を備えるサーフボードを開示する。このサーフボードは、頑丈なライディングボード、このライディングボード上に配されるＥＬ（Electro Luminescent：電子発光）シート、及びそのＥＬシートを覆う半透明の樹脂層を有する。
【０００５】
特許文献２はライザーを開示する。このライザーは、透明又は半透明の平面と、この透明又は半透明の平面を照射するための電源及びＬＥＤ光源を備える。また、ライザーはサーフボードに取り付けられてもよい。
【０００６】
特許文献３は、サーフボード等のスポーツ用ボードの頑丈なライディングボードに溝を形成し、ＥＬワイヤを溝に取り付け、ボード表面及びＥＬワイヤ上に透明又は半透明の保護層を提供する方法を開示する。
【０００７】
【特許文献１】ＵＳ６４３１９３３
【特許文献２】ＵＳ２００４／０２１２９８０
【特許文献３】ＵＳ２００５／００６４７７４
【課題を解決するための手段】
【０００８】
本発明は中空状本体部と、中空状本体部の内部を照射する１以上の照明装置を備える波乗り用ボードを提供するものである。この中空状本体部は、透明又は半透明の１以上の部分を有する。
【０００９】
本発明はまた、プラスチック材料でできた１以上の部分を備える波乗り用ボードを含む。この１以上の部分は、透明又は半透明の状態及び略不透明の状態に切り替えることが可能である。また、波乗り用ボードは、前記プラスチック材料を前記２つの状態に切り替えるための切換部である。
【００１０】
本発明はまた、開口部からアクセス可能な内部を有する外殻部と、前記開口部を介して前記外殻部に挿入可能な膨張性の物体を有する波乗り用ボードを含む。
【００１１】
本発明はまた、可視光を放射するための１以上の照明装置と、前記１以上の照明装置を切り替えるため遠隔操作可能な切替部を有する波乗り用ボードを含む。
【図面の簡単な説明】
【００１２】
【図１】波乗り用ボードの部分断面斜視図である。
【図２】図１のＩＩ−ＩＩ線で切断した部分断面図である。
【図３】図１の波乗り用ボードの照明装置の概略図である。
【図４】図１に示す波乗り用ボードのいくつかの変更形態を示す。
【図５】他の波乗り用ボードの分解斜視図である。
【図６】図５のＶＩ−ＶＩ線で切断した断面図である。
【図７】さらなる他の波乗り用ボードの分解斜視図である。
【図８】透明又は半透明の状態及び不透明の状態に制御可能に切り替え可能な波乗り用ボードの一部分の概略断面図である。
【発明を実施するための形態】
【００１３】
図１及び図２を参照する。サーフボード（１０）形状の波乗り用ボードは、略透明な外殻部（１２）状の中空状本体部を備える。外殻部（１２）は比較的硬質で、ポリカーボネート等のポリマでできており、透明又は半透明の樹脂コーティング或いはガラス繊維コーティングがなされていてもよい。任意で、ポリカーボネートはその透明性が減少されてもよく、例えば、つや消し、着色、或いはレーザプリントデザインの適用によりなされる。
【００１４】
外殻部（１２）は中心に配された凹部（１４）を有する。この凹部（１４）は照明装置（１６）を備える。図２で最もよく見られるように、凹部（１４）は、上部又はデッキと繋がる円形壁（１８）、外殻部（１２）の表面部（２０）及び環状壁（２２）により形が定められる。環状壁（２２）は円形壁（１８）の下端部から垂直に延出し、照明装置（１６）が固定される縁部の形が定められる。一対のＬ字型の溝部（２６）は円形壁（１８）内にもたらされる（溝部（２６）の１つだけが図において視認可能である）。溝部（２６）は互いに対照的に配され、照明装置（１６）上に配される正反対にある突起部（３０）と噛み合う。溝部（２６）及び突起部（３０）は、ツイストロック固定機構をもたらし、これにより照明装置（１６）は凹部（１４）に解放可能にしっかり固定される。別の方法として、突起部（３０）は、照明装置の円周壁内の円形壁（１８）上或いは溝部（２６）に配されてもよい。
【００１５】
外殻部（１２）は袋体（３６）の形状をした膨張性の物体を収容し、物体が膨張した場合、外殻部内部の全ては略充填される。袋体（３６）は、外殻部（１２）よりも少し幅が広く長さがあることが好ましい。これにより、物体が膨張した場合、外殻部内部を圧迫して外殻部に支持をもたらす。袋体（３６）は、例えばＰＶＣ（ポリ塩化ビニル）等の好適な可塑性を有する材料でできていると共に、環状壁（２２）により形が定められる開口部（３８）を介して外殻部（１２）へ挿入可能である。袋体（３６）は透明又は半透明の材料でできており、この材料により照明装置からでる光が外殻部内部を照射可能となる。袋体（３６）はバルブ（４０）がもたらされる。照明装置（１６）の底面は、１以上のバルブ（４０）の一部を収容する凹部がもたらされてもよい。
【００１６】
外殻部（１２）の底面は、波乗り用ボード（１０）の安定性を高めるための１以上の構造が任意でもたらされている。実施形態中において、外殻部（１２）は一体的な固定フィン（４２）を有する。
【００１７】
図３を参照する。照明装置（１６）は円筒形のハウジング（５０）を備え、このハウジング（５０）は凹部（１４）内に適合するように作られている。そのため、ハウジング（５０）の上面部（５２）は、デッキ表面（２０）の隣接する部分と略同一平面状にあるか、或いはデッキ表面の隣接する部分の直下にある。ハウジング（５０）内には、充電式バッテリ形式の電源がある。ハウジング（５０）の上面部（５２）は、凹部（５６）の形状の構造を有する。この凹部（５６）は、充電部（図示せず）と嵌合する突出部を収容する。この充電部は電動歯ブラシを再充電するのに用いる充電部と同様のものである。充電部の突出部及び凹部（５６）間の接続によって、バッテリ（５４）は電気を使い果たした場合再充電が可能である。この種のバッテリ充電は周知であるので、本明細書においてさらに詳細は述べない。
【００１８】
照明装置（１６）は、例えば複数のＬＥＤ（５８）等の直流光装置を備える。ＬＥＤ（５８）はハウジング（５０）内で、外殻部（１２）内部に向けて照射するように配される。ＬＥＤ（５８）からの光に外殻部（１２）内部を照射させるため、ハウジング（５０）は透明な材料で作られるか、或いはＬＥＤ（５８）周辺の領域は少なくとも透明である。ＬＥＤ（５８）は同じ色或いは異なる色であってよい。
【００１９】
ＬＥＤ（５８）は直接バッテリ（５４）と接続されているので、バッテリの端子とＬＥＤ（５８）の接続部間でバッテリを除去或いは絶縁体を挿入することにより、切替えを行うことができる。このような配列を用い、照明装置（１６）を凹部（１４）から除去し、ハウジングの本体部からカバー（６０）を除去してハウジング（５０）内部にアクセスすることによって、切替えが達成される。しかしながら、防水性のロッカースイッチ（６２）はバッテリ及びＬＥＤ（５８）の間にもたらされると共に配されることが好適である。これにより、ロッカースイッチ（６２）はサーフボード使用時においてボードに乗る者によってアクセス可能となる。
【００２０】
任意に、制御装置（６４）は照明の電気回路に備えられてもよい。制御装置（６４）は、ＬＥＤ（５８）の点滅又はストロボ等様々な効果をもたらす。
【００２１】
サーフボード（１０）の使用において、ボードに乗る者は袋体（３６）を好適な圧力にまで膨張させる。袋体（３６）内の圧力を変化させることにより、ボードに乗る者はサーフボード（１０）の剛性（歪み及び反発力も）を制御することができる。例えば、袋体内の比較的低い圧力は、サーフボードの歪み及び反発力を増加させ、スリングショット（パチンコ）の効果をもたらすと共にボードをより反応の良い生き生きした感じにする。
【００２２】
ボードに乗る者がサーフボードのセットアップに満足すると、ボードに乗る者は照明装置（１６）を凹部（１４）に取り付けることができる。そして切換部（６２）は、所望のサーフボードの照明をもたらすよう操作される。
【００２３】
図４はサーフボード（１０）のいくつかの変更形態を示す。例えば、外殻部（１２）は、各照明装置（１６）に複数の凹部（１４）の形を定める。これにより、ボード全長にわたり外殻部内部の照明がより均一化されると共に、ボード全長に沿って異なる色の光をもたらすために用いられることが可能となる。外殻部（１２）には複合材料補強小片（７０）がもたらされる。複合材料強化小片（７０）は図示の如く、炭素繊維材料の輪の形状であってよい。別の方法として、補強小片は、ボードの長さ方向に延出してもよく、一般にボードの縦軸に平行であるか、対角線上にある。後者の場合、対角にある小片は二方向に延出してもよく、十字型を形成する。サーフボードのバウにおいて示されるように、外殻部（１２）は様々な模様（７２）がプリントされていてもよく、これにより外殻部（１２）の透明性が選択的に変更される。さらなる他の方法は、透明及び半透明（例えば着色又はつや消しされた材料）材料の部分を共に結合することにより、袋体を製造することである。袋体（３６）に包含される着色された材料の二つの部分（７４）が図示される。袋体は、略不透明な部分を備えていてもよい。
【００２４】
図５及び図６を参照する。その他の波乗り用ボード（１１０）は、縦軸方向に延出するリブ（１１４）を有するモノコック構造の外殻部（１１２）の形状をした中空状の本体部を有する。外殻部（１１２）は上面、或いはデッキ表面（１１６）、デッキ表面の外面周囲に形成された湾曲したレール（１１８）、及びレール下端部から延出し、一般にデッキ表面に平行であるフランジ（１２０）から構成される。デッキ表面（１１６）、レール（１１８）及びフランジ（１２０）は、透明ポリカーボネート等のポリマで一枚に形成されると共に、透明又は半透明の樹脂コーティング或いはガラス繊維コーティングがもたらされてもよい。任意で、ポリカーボネートは透明性が減少されてもよく、これは例えば、つや消し、着色、或いはレーザプリントデザインの適用によりなされる。外殻部（１１２）は、フランジに取付けられると共に密閉された下部パネル、或いは外板（１２２）により完成されてもよい。下部の外板（１２２）は、デッキ表面（１１６）と同じ材料で形成されることが好ましい。下部の外板（１２２）は透明、半透明或いは不透明であってよい。
【００２５】
補強リブ（１１４）はサーフボード（１１０）の縦軸に沿って延出すると共に二つの部分に分けられる。すなわち、一方は凹部（１２４）の両側にあり、この凹部は照明装置（１２６）を収容するためのデッキ表面（１１６）に形成されている。補強リブ（１１４）はデッキ表面（１１６）からぶら下がると共に、デッキ表面（１１６）に略垂直である。図６で最もよく見られるように、補強リブ（１１４）は外殻部（１１２）内部を第１チャンバ又は左側チャンバ（１２８）及び第２チャンバ又は右側チャンバ（１３０）に分割する。
【００２６】
照明装置（１２６）の凹部（１２４）の構造は、サーフボード（１０）の対応する部分（１４）及び（１６）の凹部と同じであることが好ましい。同様に、外殻部（１１２）は図４に示される方法で変更されてもよい。他の可能性として、外殻部（１１２）の内部の一部或いは全体は蛍光材料で覆われてもよく、照明装置（１２６）は、蛍光材料の励起を起こす波長の光、及び、蛍光材料に覆われた外殻部内部の一部或いは全体が、外殻部中を発光させる波長の光を放射するよう構成されている。外殻部内部を二つのチャンバ（１２８）、（１３０）に分割することにより、この二つのチャンバは様々な色の光を放つ照明装置（１２６）を有する可能性が生じる。別の方法として、照明装置の夫々はチャンバ（１２８）、（１３０）にもたらされてもよい。外殻部内部は、追加のリブ及び様々な色の光で照射されたリブにより形成される各チャンバによって、さらに分割される。
【００２７】
図示されないが、サーフボード（１１０）は、サーフボード（１０）の袋体（３６）と同様に、一対の膨張性の物体がもたらされてもよい。外殻部（１１２）への挿入を容易にするため、別々の挿入のための開口部が、好ましくは各凹部（１２４）にもたらされることにより提供される。
【００２８】
両実施形態は、外殻部（１２）、（１１２）の全部又は一部を、ボードに乗る者により調節可能な透明性を有するプラスチック材料から作ることにより変更可能である。例えば、外殻部（１２）の場合、外殻部全体はこのような材料で作られる。外殻部（１１２）の場合、上部（１１６）、（１１８）、（１２０）はこのような材料で作られる一方で、下部の外板は、不透明である異なる材料で任意で形成されてもよい。このような材料を含むボードは、切り替えを含む手段がもたらされる。これにより、ボードに乗る者が透明材料の透明性を調節することが可能になる。このような材料の一つにMakrolon（登録商標）の等級品である。これはバイエル・グループ・オブ・カンパニーズの製品で液晶技術を組み込んだものであり、非常に透明な状態と不透明な状態に切り替えることができる。Makrolon（登録商標）の透明性の切り替えは、ボード上にもたらされた切り換え手段或いは遠隔切り替えシステムによってなされてもよい。
【００２９】
図示されない他の実施形態において、中空状の本体部は、膨張した際に波乗りに適したボードの形を有するように構造化された膨張性の物体の形状である。少なくとも中空体の本体部の一部、好ましくは全体が透明又は半透明である。中空体の本体部はハウジングを有し、このハウジングは物体の材料内に作られた穴部に固定される照明装置を収容する。好ましくは、ハウジングは凹部（１４）と同様の特性を有し、これにより照明装置（１６）等の照明装置を収容すると共に、照明装置を切り替える一体的な切換部を備えることができる。ハウジングは、照明装置（１６）等の照明装置がハウジング内に取り付けられる時、照明装置が中空状の本体部の内部へ光を放射すると共に中空状の本体部を照射するように配されている。この配置により、中空状の本体部の内部からの光が、中空状の本体部の透明（又は半透明）部分を通って放射される。
【００３０】
図７を参照する。デッキ部（２１２）及びハル部（２１４）を有する別のサーフボード（２１０）である。デッキ部（２１２）はハル部（２１４）に接着しており、積層構造を形成する。デッキ部（２１２）は比較的薄く、またMakrolon（登録商標）等使用者の切換部の操作により透明性が調節可能な材料でできている。ハル部（２１４）は比較的デッキ部（２１２）よりも厚さを有し、またMakrolon（登録商標）よりも軽い（密度が低い）材料でできているので、サーフボード（２１０）の重量を最小化すると共に浮力を維持する。ハル部（２１４）が作られる材料はまた、透明又は少なくとも半透明である。図示されないが、ハル部はその上面に形成される凹部状の浮力室がもたらされる。
【００３１】
デッキ部（２１２）は貫通穴（２１６）がもたらされ、この貫通穴（２１６）はハル部（２１４）の上面に形成される凹部（２１８）と一致するよう配されている。凹部（２１８）は、図１で示される凹部（１４）及び照明装置（１６）と同様の方法で、照明装置（２２０）と解放可能に係合するよう構成される。照明装置（２２０）は、基本構成において図３で示す照明装置と同じであって、光をデッキ部（２１２）及びハル部（２１４）内へ放射するよう構成される。結果として、スイッチがオンになった場合、照明装置（２２０）はサーフボード（２１０）の全長を照らすことができる。
【００３２】
デッキ部（２１２）及びハル部（２１４）は両方とも、透明な材料でできており、ボードに乗る者及び観衆の両方は、ボードに乗っている者が水の上を歩いているような印象を受けることができる。しかしながら、ボードに乗る者がボードを見せたい場合、ボードに乗る者はデッキ部を非透明モードに切り替えるだけでよい。
【００３３】
サーフボード（２１０）は、凹部をハル部（２１４）の上面に形成しデッキ部（２１２）を収容するようにすることにより変更可能である。
【００３４】
図示の如く照明装置（２２０）を有する代替物として、波乗り用ボードは１以上の一連のＬＥＤ、白熱電球、又はLytec（登録商標）ＥＬワイヤ等のＥＬ光源が取り付けられてもよく、これらはハル部（２１４）にもたらされた１以上の溝部に収容されている。Lytec（登録商標）ＥＬワイヤは米国特許番号第5869930号に述べられており、約３ミリの直径を有する可塑性を有する細長いフィラメントで、一端に交流電力が供給されるとその全長に光を放出する。光源に直流電力が供給される場合、照明装置に包含される電力パッケージと同様の電力パッケージが用いられると共に凹部（２１８）に嵌合する。バッテリ（５４）は光源に好適なリード線を介して電力を供給する。このリード線はハウジングから延出し、光源を繋いでいる。この場合、電力パッケージのハウジングは永久的にボードに取り付けられる。この場合においては、電力パッケージに取り付けられると同時にバッテリの再充電、或いはバッテリの除去の準備がなされる。電力供給を必要とする光源において、電力パッケージはさらにインバータを備える。
【００３５】
実施形態において、照明装置（１６）、（１２６）、（２２０）の操作はロッカースイッチにより制御される。他の形状のスイッチが用いられてもよいことは理解されている。例えば、切り替えは照明装置の露出した表面上にある一対の接触部によるものである。この接触部は、水に浸かった時切換部を閉じる回路を作る。また、照明装置には状態の切換部がもたらされ、バッテリ及び照明ユニット間に接続をもたらすよう作動する。これは、サーフボードがデッキ表面（２０）と共に通常使用の状態にある場合である。この実施形態において、ボードに乗る者は単にボードを反転させることにより照明を消すことができ、これはボードを自動車の屋根の台に固定する場合等になされる。ボードを通常の使用状態において回転させた場合、切換部が閉じると共に照明装置がボード内部を照射する。さらに他の手段として遠隔操作の切換部がもたらされ、例えばラジオ又は赤外線信号等により操作可能である。この場合、切換部を制御するためのリモコンがリストバンド上にもたらされると共に、時計（腕時計）としても役立つよう装備され、任意で周知の時計に組み込まれる他の機能をもたらすよう装備されている。その他の手段として、リモコンはウエストバンド等にクリップで留められるように配されてもよい。さらに他の手段は、照明装置がボードに取り付けられている場合、照明装置にプッシュスイッチを取り付けることである。このプッシュスイッチは開放位置の方へバイアスされていると共に、凹部に対して押圧することにより閉鎖位置の方へ押し付けられている。
【００３６】
実施形態において、照明装置のハウジングはデッキ表面からアクセス可能である。ハウジングは代わりにボードの底部からアクセス可能であるように形成されることが好ましい。説明した照明装置を用いると、このことはボード使用時において、切換部（６２）がアクセスできない状態にある結果をもたらす。しかしながら、いくつかの実施形態において、切換部はデッキ表面からアクセスするため接触部に取り付けられる。接触部は照明装置がハウジング内に固定されている場合嵌合している。
【００３７】
説明した実施形態において、照明装置は解放可能に凹部内に固定できる。照明装置は凹部内に差込みタイプの固定によって収容される。他の固定手段が用いられてもよいことは理解されうる。例えば、凹部の壁部（１８）及びハウジング（５０）の周辺壁は、相補的な糸状の構造がもたらされている。この構造により、照明装置が凹部内へねじ込められる。その他の手段として、照明装置は凹部内に蓋部（図示せず）により固定されてもよく、この蓋部は凹部を閉じるよう外殻部に係合する。好ましくは、蓋部は照明装置を凹部内に押圧することによりもたらされる。弾性を有するクッション或いはさらに多くのねじの一つが例として挙げられる。
【００３８】
照明装置（１６）は、電動ハブラシを充電する種類の充電部を用いて充電するように構成されているが、当然他の構造が用いられてもよい。したがって、照明装置はいかなる適切な充電部と係合する構造がもたされてもよい。他の方法として、照明装置は接続金具を収容するソケットがもたらされてもよい。このソケットは、携帯電話を充電するのに用いられる充電部と同様のケーブルの端部にある。当然のことながら、説明したような充電可能な照明装置を作ることにより装置を密閉ユニットとして作ることが可能であるので、水の浸入は問題にならない。しかしながら、好ましくはないけれども、照明装置は任意の標準の非充電式バッテリを使用するよう構成されると共に作られてもよい。そのため、照明装置はバッテリ交換のために開けることができる。
【００３９】
内部照明を有するサーフボードをもたらすことにより、日光がなくても観衆及び判定者がボードに乗る者のパフォーマンスを見ることが可能となる。
【００４０】
実施形態内にもたらされた内部照明は、少なくとも一つの照射されたデッキ表面を有する乗ることが可能なボードを提供する。このデッキ表面は見る者に鮮やかな光景をもたらすと共にボードに乗る者の楽しさを増強させる。
【００４１】
ボード全体をMakrolon（登録商標）等の材料から作ることにより、様々な魅力的な視覚効果をもたらすボードを提供することが可能である。例えば、ボードは透明モードにおいて、ボードに乗る者及び見る者に水の上を歩いているような印象を与える。また同時に、半透明モードに切り替えることも可能であり、ボードに乗る者は必要な場合ボードを見ることができる。
【００４２】
外殻部が１以上の膨張性の物体に嵌合されている実施形態において、波乗りボードの透明或いは半透明の外殻部は平面状に作られ、ボードに乗る者は、異なって装飾された膨張性の物体によって、自身のボードに新しい装飾を素早く簡単に施すことができる。したがって、膨張性の単一の物体又は膨張性の複数の物体は、ボードの性能を調整すると共に異なる装飾効果をもたらすのに用いられることができる。
【００４３】
照明装置の遠隔操作可能な切換部、及び状態を切り替えることが可能なプラスチック材料を切り替えるための遠隔操作可能な切換部を有する実施形態において、リモコンは単一ユニット内に結合される。この前述の単一ユニットはリストバンドに取り付けられると共に、周知の時計等によりもたらされる機能を組み込むように装備される。
【００４４】
波乗り用ボードの全部或いは一部は通常は蛍光物質ベースの暗闇で光る組成物で処理されてもよい。
【００４５】
波乗り用ボードは合成物（例：炭素繊維）又は木製の補強小片がもたらされたレールを有することができる。これにより、ボード全体に強度を与えると共に弾性及び性能を与える。補強用の小片はボードの外側、外殻部の内側、或いは膨張性の本体部の場合は膨張性の袋体内に配されてもよい。
【００４６】
図８は波乗り用ボードの外板（３００）の一部を示す概略断面図であって、透明又は半透明及び不透明な状態に切替えることができる。外板（３００）は、例えばポリカーボネート等の透明又は半透明の材料でできた内層（３１２）及び外層（３１４）を有する。この内層（３１２）及び外層（３１４）は、互いに間隔が設けられている。また外板（３００）は、内層及び外層の間に配された電気的に励起可能な材料（３１６）を有する。液晶技術に包含される電気的に励起可能な材料（３１６）は、半透明又は透明状態及び不透明状態で切り替えることにより切り替えを行った電気的励起に応答する。前に示したように、材料はバイエル・グループ・オブ・カンパニーズが製造・販売するMakrolon（登録商標）の等級品であってよい。ある実施形態において、電極（３１８）は外板（３００）に形成された開口部（３２０）から物体（３１６）へ延出している。好適な電源装置（３２２）は、構造において前述の照明装置と同様のものであるが、開口部（３２０）内で解放可能に噛み合うようもたらされる。電源装置（３２２）は、電極（３１８）と噛み合う接触部（３２４）がもたらされ、回路に電気的励起電流をもたらす。電源装置（３２２）は適切な切換部（３２６）がもたらされ、ボードに乗る者が材質（３１６）の励起を調節できるようにする。他の方法として、電源部（３２２）は、照明装置に関連する前述の遠隔切り替えのために備えられている。電源部は波乗り用ボードに永久的に取り付けられてもよく、或いは前述のものと同様の照明装置に包含されてもよい。
【００４７】
本発明の実施形態は、透明又は半透明の状態及び略不透明の状態に切り替えることが可能な材料から作られる１以上の部分と共に、前記材料を前記状態に切り替える切換部を有する波乗り用ボードを提供する。
【図１】
2010513132.tif 000003
【図２】
2010513132.tif 000004
【図３】
2010513132.tif 000005
【図４】
2010513132.tif 000006
【図５】
2010513132.tif 000007
【図６】
2010513132.tif 000008
【図７】
2010513132.tif 000009
【図８】
2010513132.tif 000010
【国際調査報告】
2010513132.tif 000011
2010513132.tif 000012
2010513132.tif 000013
2010513132.tif 000014